(57)【要約】      （修正有）【課題】基礎に対する設置構造物の傾斜角度調整の作業性を向上させることができる球面状支持部材を提供する。【解決手段】球面状支持部材１０は、第一締結部材を介して基礎２に固定される第一固定部１２、および、第二締結部材を介して設置構造物に固定される第二固定部１４を有する球面台座１５と、第一固定部１２を上下から挟み込む上側座金１６および下側座金１７と、を備える。第一固定部１２の上面は、下方に凹となる曲面に形成される凹状曲面部１２ａを有し、第一固定部１２の凹状曲面部１２ａと反対側の下面は、下方に凸となる曲面に形成される凸状曲面部を有する。上側座金１６の下面は、下方に凸となる曲面に形成されて第一固定部１２の凹状曲面部１２ａと面接触する第一曲面部１６ａを有し、下側座金１７の上面は、下方に凹となる曲面に形成されて第一固定部１２の凸状曲面部と面接触する第二曲面部１７ａを有する。【選択図】図４
2017017835.tif 000002
【特許請求の範囲】
【請求項１】
第一締結部材を介して基礎に固定される第一固定部、および、第二締結部材を介して設置構造物に固定される第二固定部を有する球面台座と、
前記第一固定部を上下から挟み込む上側座金および下側座金と、を備え、
前記第一固定部の上面は、下方に凹となる曲面に形成される凹状曲面部を有し、
前記第一固定部の凹状曲面部と反対側の下面は、下方に凸となる曲面に形成される凸状曲面部を有し、
前記上側座金の下面は、下方に凸となる曲面に形成されて前記第一固定部の凹状曲面部と面接触する第一曲面部を有し、
前記下側座金の上面は、下方に凹となる曲面に形成されて前記第一固定部の凸状曲面部と面接触する第二曲面部を有する
ことを特徴とする球面状支持部材。
【請求項２】
前記第二固定部は、前記第一固定部の外縁部に配置されていることを特徴とする請求項１に記載の球面状支持部材。
【請求項３】
前記第二固定部は、前記第一固定部よりも高い位置に形成され、前記第一固定部と前記第二固定部とは、上下方向に延在する立ち上がり部により連結されていることを特徴とする請求項１に記載の球面状支持部材。
【請求項４】
前記立ち上がり部は、第一固定部に締結されている前記第一締結部材を視認することが可能となるように、少なくとも一部分が開放されていることを特徴とする請求項３に記載の球面状支持部材。
【請求項５】
前記第一締結部材は、ボルトおよびナットからなり、
前記第一固定部には、前記第一締結部材を構成するボルトを挿通するためのボルト孔が形成され、
前記第一固定部に形成されたボルト孔は、前記第一締結部材を構成するボルトの軸部の径よりも大きく形成されるとともに、丸穴形状に形成されていることを特徴とする請求項１から４の何れか一項に記載の球面状支持部材。
【請求項６】
前記第二締結部材は、ボルトおよびナットからなり、
前記第二固定部には、前記第二締結部材を構成するボルトを挿通するためのボルト孔が形成され、
前記第二固定部に形成されたボルト孔は、長穴形状に形成されていることを特徴とする請求項１から５の何れか一項に記載の球面状支持部材。
【請求項７】
前記第一固定部に形成された凹状面部および凸状面部は、絞り加工により形成されたことを特徴とする請求項１から６の何れか一項に記載の球面状支持部材。
【請求項８】
前記球面台座、前記上側座金および前記下側座金は、アルミニウム合金から形成されることを特徴とする請求項１から７の何れか一項に記載の球面状支持部材。
【請求項９】
請求項１から８の何れか一項に記載の球面状支持部材を利用した太陽光パネル用架台の固定構造であって、前記第一固定部を基礎に前記第一締結部材により固定し、前記第二固定部を太陽光パネル用架台の支持フレームに前記第二締結部材により固定したことを特徴とする太陽光パネル用架台の固定構造。
【発明の詳細な説明】
【技術分野】
【０００１】
本発明は、球面状支持部材および太陽光パネル用架台の固定構造に関する。
【背景技術】
【０００２】
近年、太陽光パネルをはじめとした太陽光・太陽熱利用装置の普及が進み、これらの装置用構造物（架台等）が屋外に設置される機会が増えてきた。また、前記装置用構造物を設置する地面の傾斜や地盤の状態によっては、基礎の水平度にバラつきが生じるケースがあるため、このようなケースに対処するための方策が講じられてきた。
【０００３】
例えば、特許文献１には、基礎に固定した受け座部に形成された凸曲面の球座部と、設置構造物に固定した取付物固定部に形成された凹曲面とを面接触させ、取付物固定部を受け座部に対して傾けることにより、設置構造物を水平に設置することができる取付物支持ユニットが開示されている。
【先行技術文献】
【特許文献】
【０００４】
【特許文献１】特許第５０８１３２５号公報
【発明の概要】
【発明が解決しようとする課題】
【０００５】
しかしながら、前記特許文献１に記載の取付物支持ユニットでは、受け座部に形成された球座部が上方に凸となる凸曲面であるため、取付物固定部を受け座部に対してある程度傾けると、取付物固定部が受け座部の上で滑り易いという問題があった。
【０００６】
そこで、本発明は、基礎に対する設置構造物の傾斜角度調整の作業性を向上させることを目的とする。
【課題を解決するための手段】
【０００７】
本発明の第１の態様は、第一締結部材を介して基礎に固定される第一固定部、および、第二締結部材を介して設置構造物に固定される第二固定部を有する球面台座と、前記第一固定部を上下から挟み込む上側座金および下側座金と、を備える球面状支持部材である。前記第一固定部の上面は、下方に凹となる曲面に形成される凹状曲面部を有し、前記第一固定部の凹状曲面部と反対側の下面は、下方に凸となる曲面に形成される凸状曲面部を有する。前記上側座金の下面は、下方に凸となる曲面に形成されて前記第一固定部の凹状曲面部と面接触する第一曲面部を有し、前記下側座金の上面は、下方に凹となる曲面に形成されて前記第一固定部の凸状曲面部と面接触する第二曲面部を有する。
【０００８】
本発明の第２の態様は、前記球面状支持部材を利用した太陽光パネル用架台の固定構造である。この固定構造では、前記第一固定部を基礎に前記第一締結部材により固定し、前記第二固定部を太陽光パネル用架台の支持フレームに前記第二締結部材により固定する。
【発明の効果】
【０００９】
本発明に係る球面状支持部材では、球面台座の下面に形成された凸状曲面部および下側座金の上面に形成された第二曲面部がともに曲面形状であることから、球面台座の下面に形成された凸状曲面部と下側座金の上面に形成された第二曲面部とを互いにスムーズに摺接させることができる。また、球面台座を下側座金に対して傾けることで、所望の傾斜角度をつけて球面台座を第一締結部材により締結することができる。したがって、本発明に係る球面状支持部材によれば、基礎に対する設置構造物の傾斜角度調整の作業性を向上させることができる。
【図面の簡単な説明】
【００１０】
【図１】本発明の第一実施形態に係る球面状支持部材を利用した太陽光パネル用架台の固定構造の斜視図である。
【図２】本発明の第一実施形態に係る球面状支持部材を利用した太陽光パネル用架台の固定構造の正面図である。
【図３】本発明の第一実施形態に係る球面状支持部材を利用した太陽光パネル用架台の固定構造の側面図である。
【図４】本発明の第一実施形態に係る球面状支持部材の分解斜視図である。
【図５】本発明の第二実施形態に係る球面状支持部材を利用した太陽光パネル用架台の固定構造の斜視図である。
【図６】本発明の第二実施形態に係る球面状支持部材を利用した太陽光パネル用架台の固定構造の正面図である。
【図７】本発明の第二実施形態に係る球面状支持部材を利用した太陽光パネル用架台の固定構造の側面図である。
【図８】本発明の第二実施形態に係る球面状支持部材の分解斜視図である。
【発明を実施するための形態】
【００１１】
以下、本発明の実施形態を図面とともに詳述する。なお、図面において、矢印Ｗは太陽光パネル用架台の幅方向（横方向）を示し、矢印Ｄは太陽光パネル用架台の奥行き方向（縦方向）を示し、矢印Ｈは太陽光パネル用架台の高さ方向を示す。また、太陽光パネル用架台は設置構造物の一例であって、設置構造物は本実施形態に限定されない。
【００１２】
［第一実施形態］
本発明の第一実施形態に係る球面状支持部材および太陽光パネル用架台の固定構造を図１から図４に基づいて説明する。
【００１３】
まず、太陽光パネル用架台（設置構造物）について説明する。
【００１４】
図１から図３に示すように、太陽光パネル用架台は、支持フレーム１を備える。支持フレーム１は、太陽光パネル（図示せず）を支持する第一フレーム部材（垂木）１ａと、第一フレーム部材１ａを支持し、かつ、直交方向に延在する第二フレーム部材（垂木受け）１ｂと、を有し、この第二フレーム部材１ｂが球面状支持部材１０などを介して基礎２に連結される。第一フレーム部材１ａおよび第二フレーム部材１ｂはそれぞれ、中空材から構成されている。第一フレーム部材１ａは、太陽光パネル用架台の奥行き方向Ｄに延在しており、第二フレーム部材１ｂは、太陽光パネル用架台の幅方向Ｗに延在している。
【００１５】
第一フレーム部材１ａと第二フレーム部材１ｂとの締結は、第二フレーム部材１ｂの上部に固定された第一ブラケット部材３と、第一挟持部材４と、締結部材５（ボルト５ａおよびナット５ｂ）とを介して行う。一方、第二フレーム部材１ｂの下部には、調整台座６が締結される。この調整台座６と第二フレーム部材１ｂとの締結は、第二フレーム部材１ｂの下部に固定された第二ブラケット部材７と、第二挟持部材８と、締結部材９（ボルト９ａおよびナット９ｂ）とを介して行う。
【００１６】
第一フレーム部材１ａ、第二フレーム部材１ｂ、第一ブラケット部材３、第一挟持部材４、調整台座６、第二ブラケット部材７および第二挟持部材８は、アルミニウム合金製の押出形材からなる。
【００１７】
これらの各部材がアルミニウム合金製の押出形材からなることにより、鋼材からなるものとした場合と比較すると、太陽光パネル用架台全体を軽量化することが可能になる。また、これらの各部材の寸法精度を高めることができ、太陽光パネル用架台の設置を容易かつ正確に行うことができるとともに、優れた耐食性および外観を得ることができる。さらに、長尺の部材を比較的低コストで製造することができるため、製造コストを低減することができるとともに、アルミニウム合金はリサイクル性に比較的優れているため、太陽光パネル用架台の撤去後に材料を再利用することができる。
【００１８】
次に、本実施形態に係る球面状支持部材１０について説明する。
【００１９】
本実施形態に係る球面状支持部材１０は、太陽光パネルをはじめとする太陽光・太陽熱利用装置を固定する設置構造物を支持するための支持部材である。
【００２０】
図１から図４に示すように、球面状支持部材１０は、第一締結部材１１を介して基礎２に固定される第一固定部１２、および、第二締結部材１３を介して太陽光パネル用架台に固定される第二固定部１４を有する球面台座１５と、第一固定部１２を上下から挟み込む上側座金１６および下側座金１７と、を備える。すなわち、本実施形態に係る太陽光パネル用架台の固定構造では、球面台座１５を基礎２に第一締結部材１１により固定し、球面台座１５を太陽光パネル用架台の支持フレーム１に第二締結部材１３により固定している。
【００２１】
支持フレーム１（第二フレーム部材１ｂ）の下部には、前述の調整台座６が締結されている。この調整台座６は、第二締結部材１３を介して球面台座１５の第二固定部１４が固定される固定部１８と、固定部１８から上方に延在する立ち上がり部１９と、立ち上がり部１９の上端より水平方向に張り出して、締結部材９（ボルト９ａおよびナット９ｂ）を介して第二ブラケット部材７の下端部に固定されるフランジ部２０と、を有し、断面ハット形状に形成されている。固定部１８の中央に、第一締結部材１１を構成するボルト１１ａの頭部の径よりも大きな孔部２１が形成されており、この孔部２１よりも外側の部分には、第二締結部材１３を構成するボルト１３ａを挿通するためのボルト孔２２が形成されている。また、立ち上がり部１９は、球面台座１５の第一固定部１２に締結されている第一締結部材１１を視認することが可能となるように、少なくとも一部分が開放される。立ち上がり部１９の少なくとも一部分が開放されることにより、立ち上がり部１９における開放されている部分（開放部分）１９ａを通して固定作業をすることが可能となり、作業性を高めることができる。
【００２２】
球面台座１５の第一固定部１２の上面は、下方（下側座金１７側）に凹となる曲面に形成される凹状曲面部１２ａを有し、第一固定部１２の凹状曲面部１２ａと反対側の下面は、下方に凸となる曲面に形成される凸状曲面部１２ｂを有する。第一固定部１２は半球形状とされており、円環形状の第二固定部１４が、第一固定部１２の外縁部に位置している。球面台座１５は、アルミニウム合金により一体成形され、前記凹状曲面部１２ａおよび前記凸状曲面部１２ｂは、絞り加工により球面台座１５に形成されたものである。すなわち、球面台座１５は、アルミニウム合金製の円板材から絞り加工により形成されたものである。
【００２３】
上側座金１６の下面は、下方に凸となる曲面に形成されて球面台座１５の第一固定部１２の凹状曲面部１２ａと面接触する第一曲面部１６ａを有し、上側座金１６の第一曲面部１６ａと反対側の上面は、平坦な面である第一平坦面部１６ｂを有する。上側座金１６には、第一締結部材１１を構成するボルト１１ａを挿通するための第一孔部１６ｃが形成されており、この第一孔部１６ｃは、ボルト１１ａの軸部の径よりも大きく形成されるとともに、丸穴形状に形成されている。
【００２４】
一方、下側座金１７の上面は、下方に凹となる曲面に形成されて球面台座１５の第一固定部１２の凸状曲面部１２ｂと面接触する第二曲面部１７ａを有し、下側座金１７の第二曲面部１７ａと反対側の下面は、平坦な面である第二平坦面部１７ｂを有する。下側座金１７には、第一締結部材１１を構成するボルト１１ａを挿通するための第二孔部１７ｃが形成されており、この第二孔部１７ｃは、ボルト１１ａの軸部の径よりも大きく形成されるとともに、丸穴形状に形成されている。
【００２５】
前記第一締結部材１１は、ボルト１１ａおよびナット１１ｂからなる。球面台座１５の第一固定部１２には、第一締結部材１１を構成するボルト１１ａを挿通するための第一ボルト孔１２ｃが上下方向に貫通形成されている。この第一ボルト孔１２ｃは、ボルト１１ａの軸部の径よりも大きく形成されるとともに、丸穴形状に形成されている。
【００２６】
前記第二締結部材１３は、ボルト１３ａおよびナット１３ｂからなる。球面台座１５の第二固定部１４には、第二締結部材１３を構成するボルト１３ａを挿通するための第二ボルト孔１４ａが上下方向に貫通形成されており、この第二ボルト孔１４ａは、長穴形状に形成されている。本実施形態では、第二ボルト孔１４ａは、太陽光パネル用架台の幅方向Ｗに沿って延設されたものと、太陽光パネル用架台の奥行き方向Ｄに沿って延設されたものとの二種類が球面台座１５の第二固定部１４に形成されている。また、これらの第二ボルト孔１４ａは、球面台座１５の第二固定部１４に周方向に等間隔で設けられている。本実施形態に係る太陽光パネル用架台の固定構造では、延設方向の異なる二種類の第二ボルト孔１４ａのうち、太陽光パネル用架台の幅方向Ｗに沿って延設されたもののみにボルト１１ａを挿通して、支持フレーム１（第二フレーム部材１ｂ）の下部に設けた調整台座６に、球面台座１５を固定している。
【００２７】
図４に示すように、球面台座１５と基礎２との締結は、ボルト１１ａおよびナット１１ｂ（第一締結部材１１）、上側座金１６、下側座金１７を介して行い、球面台座１５と太陽光パネル用架台の支持フレーム１との締結は、ボルト１３ａおよびナット１３ｂ（第二締結部材１３）を介して行う。ボルト１１ａおよびナット１１ｂ（第一締結部材１１）を用いて球面台座１５と基礎２とを締結する際には、球面台座１５を下側座金１７に対して傾けることで、所望の傾斜角度をつけて球面台座１５と基礎２とを締結することができる。なお、図１から図４において、符号２３は、高さ調整用のナットを示す。
【００２８】
以下に、本実施形態による作用効果を説明する。
【００２９】
（１）本実施形態に係る球面状支持部材１０は、第一締結部材１１を介して基礎２に固定される第一固定部１２、および、第二締結部材１３を介して太陽光パネル用架台（設置構造物）に固定される第二固定部１４を有する球面台座１５と、第一固定部１２を上下から挟み込む上側座金１６および下側座金１７と、を備える。第一固定部１２の上面は、下方に凹となる曲面に形成される凹状曲面部１２ａを有し、第一固定部１２の凹状曲面部１２ａと反対側の下面は、下方に凸となる曲面に形成される凸状曲面部１２ｂを有する。上側座金１６の下面は、下方に凸となる曲面に形成されて第一固定部１２の凹状曲面部１２ａと面接触する第一曲面部１６ａを有し、下側座金１７の上面は、下方に凹となる曲面に形成されて第一固定部１２の凸状曲面部１２ｂと面接触する第二曲面部１７ａを有する。
【００３０】
本実施形態に係る球面状支持部材１０では、球面台座１５の下面に形成された凸状曲面部１２ｂおよび下側座金１７の上面に形成された第二曲面部１７ａがともに曲面形状であることから、球面台座１５の下面に形成された凸状曲面部１２ｂと下側座金１７の上面に形成された第二曲面部１７ａとを互いにスムーズに摺接させることができる。また、球面台座１５を下側座金１７に対して傾けることで、所望の傾斜角度をつけて球面台座１５をボルト１１ａおよびナット１１ｂ（第一締結部材１１）により締結することができる。
【００３１】
本実施形態に係る球面状支持部材１０では、下側座金１７における凹状の第二曲面部１７ａの上に、球面台座１５の凸状曲面部１２ｂを面接触させることで、球面台座１５の回転中心が球面台座１５の重心（図心）よりも上方に位置し、且つ、前記回転中心と前記重心（図心）との間の距離が比較的短くなる。このため、球面台座１５を下側座金１７に対してある程度傾けたとしても、球面台座１５の凸状曲面部１２ｂが下側座金１７における凹状の第二曲面部１７ａに沿って滑る力を比較的小さく抑えることができる。したがって、本実施形態に係る球面状支持部材１０によれば、球面台座１５を安定的に下側座金１７の上に支持させることができ、球面台座１５が下側座金１７の上から滑り落ちるのを抑制することができる。
【００３２】
以上より、本実施形態に係る球面状支持部材１０によれば、基礎２に対する太陽光パネル用架台の傾斜角度調整の作業性を向上させることができる。
【００３３】
（２）本実施形態に係る球面状支持部材１０においては、球面台座１５の第二固定部１４は、第一固定部１２の外縁部に配置されている。
【００３４】
これにより、球面台座１５の第一固定部１２を直接的に、第一締結部材１１を介して基礎２に固定することができる。
【００３５】
（３）本実施形態に係る球面状支持部材１０においては、第一締結部材１１は、ボルト１１ａおよびナット１１ｂからなる。球面台座１５の第一固定部１２には、第一締結部材１１を構成するボルト１１ａを挿通するためのボルト孔１２ｃが形成されている。第一固定部１２に形成されたボルト孔１２ｃは、第一締結部材１１を構成するボルト１１ａの軸部の径よりも大きく形成されるとともに、丸穴形状に形成されている。
【００３６】
第一固定部１２に形成されたボルト孔１２ｃを、第一締結部材１１を構成するボルト１１ａの軸部の径よりも大きく形成するとともに、丸穴形状に形成することにより、所望の傾斜角度をつけて球面台座１５をボルト１１ａおよびナット１１ｂにより基礎２に締結することができる。
【００３７】
（４）本実施形態に係る球面状支持部材１０においては、第二締結部材１３は、ボルト１３ａおよびナット１３ｂからなる。球面台座１５の第二固定部１４には、第二締結部材１３を構成するボルト１３ａを挿通するためのボルト孔１４ａが形成されている。第二固定部１４に形成されたボルト孔１４ａは、長穴形状に形成されている。
【００３８】
これにより、球面状支持部材１０を介して基礎２と太陽光パネル用架台の支持フレーム１とを固定する際の位置決め調整を行い易くすることができる。本実施形態に係る球面状支持部材１０においては、球面台座１５はボルト１３ａをガイドにして太陽光パネル用架台の幅方向Ｗに動かすことができる。
【００３９】
（５）本実施形態に係る球面状支持部材１０においては、球面台座１５の第一固定部１２に形成された凹状曲面部１２ａおよび凸状曲面部１２ｂは、絞り加工により形成されたものである。
【００４０】
これにより、比較的複雑な形状を持つ前記凹状曲面部１２ａ及び前記凸状曲面部１２ｂを比較的容易に加工することができるとともに、比較的高い寸法精度で加工することができる。
【００４１】
（６）本実施形態に係る球面状支持部材１０においては、球面台座１５、上側座金１６および下側座金１７は、アルミニウム合金から形成される。
【００４２】
これにより、これらの各部材を鋼材からなるものとした場合と比較すると、球面状支持部材１０全体を軽量化することが可能になる。また、これらの各部材の寸法精度を高めることができ、太陽光パネル用架台の設置を容易かつ正確に行うことができるとともに、優れた耐食性および外観を得ることができる。さらに、アルミニウム合金はリサイクル性に比較的優れているため、太陽光パネル用架台の撤去後に、球面台座１５、上側座金１６および下側座金１７の材料を再利用することができる。
【００４３】
（７）本実施形態に係る太陽光パネル用架台の固定構造は、球面状支持部材１０を利用したものである。この固定構造では、球面台座１５の第一固定部１２を基礎２に第一締結部材１１により固定し、球面台座１５の第二固定部１４を太陽光パネル用架台の支持フレーム１に第二締結部材１３により固定する。
【００４４】
これにより、太陽光パネル用架台を設置する地面（または基礎２）が傾斜していても、太陽光パネル用架台を所望の設置角度に設置することができ、地面（または基礎２）の傾斜が太陽光パネル用架台に及ぼす影響を緩和させることができる。
【００４５】
［第二実施形態］
本発明の第二実施形態に係る球面状支持部材３０を図５から図８に基づいて説明する。前述の第一実施形態と実質的に同一の部分は同一符号を付することによってその説明を省略する。
【００４６】
第二実施形態に係る球面状支持部材３０は、球面台座３１の形状が第一実施形態のものとは異なっている。具体的には、第一実施形態に係る球面状支持部材１０との違いは、球面台座３１が、図１から図４に示す球面台座１５と調整台座６とが一体となったものである点であり、部品点数を省略し、太陽光パネル用架台の設置作業を簡略化することができる。
【００４７】
図５から図８に示すように、球面台座３１は、第一締結部材１１を介して基礎２に固定される第一固定部３２と、第二締結部材１３を介して太陽光パネル用架台に固定される第二固定部３３と、上下方向に延在して第一固定部３２と第二固定部３３とを連結する立ち上がり部３４と、を有し、断面ハット形状に形成されている。第二固定部３３は、第一固定部３２よりも高い位置に形成されているとともに、立ち上がり部３４の上端から水平方向に張り出している。また、立ち上がり部３４は、第一固定部３２に締結されている第一締結部材１１を視認することが可能となるように、少なくとも一部分が開放されている。
【００４８】
球面台座３１の第一固定部３２の上面は、下方（下側座金１７側）に凹となる曲面に形成される凹状曲面部３２ａを有し、第一固定部３２の凹状曲面部３２ａと反対側の下面は、下方に凸となる曲面に形成される凸状曲面部３２ｂを有する。球面台座３１は、アルミニウム合金により一体成形され、前記凹状曲面部３２ａおよび前記凸状曲面部３２ｂは、絞り加工により球面台座３１に形成されたものである。
【００４９】
球面台座３１の第一固定部３２には、第一締結部材１１を構成するボルト１１ａを挿通するための第一ボルト孔３２ｃが上下方向に貫通形成されている。この第一ボルト孔３２ｃは、ボルト１１ａの軸部の径よりも大きく形成されるとともに、丸穴形状に形成されている。
【００５０】
球面台座３１の第二固定部３３には、第二締結部材１３を構成するボルト１３ａを挿通するための第二ボルト孔３３ａが上下方向に貫通形成されており、この第二ボルト孔３３ａは、長穴形状に形成されている。本実施形態では、第二ボルト孔３３ａは、太陽光パネル用架台の奥行き方向Ｄに沿って延設されている。
【００５１】
以下に、第二実施形態による作用効果を説明する。
【００５２】
（１）第二実施形態に係る球面状支持部材３０においては、球面台座３１の第二固定部３３は、第一固定部３２よりも高い位置に形成され、第一固定部３２と第二固定部３３とは、上下方向に延在する立ち上がり部３４により連結されている。
【００５３】
第一実施形態に係る球面状支持部材１０との違いは、球面台座３１が、図１から図４に示す球面台座１５と調整台座６とが一体となったものである点であり、部品点数を省略し、太陽光パネル用架台の設置作業を簡略化することができる。
【００５４】
（２）第二実施形態に係る球面状支持部材３０においては、球面台座３１の立ち上がり部３４は、第一固定部３２に締結されている第一締結部材１１を視認することが可能となるように、少なくとも一部分が開放されている。
【００５５】
これにより、球面台座３１の立ち上がり部３４における開放されている部分（開放部分）３４ａを通して固定作業をすることが可能となり、作業性を高めることができる。
【００５６】
ところで、本発明の球面状支持部材及び太陽光パネル用架台の固定構造は前述の実施形態に例をとって説明したが、この実施形態に限ることなく本発明の要旨を逸脱しない範囲で他の実施形態を各種採用することができる。
【符号の説明】
【００５７】
１  支持フレーム
２  基礎
１０  球面状支持部材
１１  第一締結部材
１１ａ  ボルト
１１ｂ  ナット
１２  第一固定部
１２ａ  凹状曲面部
１２ｂ  凸状曲面部
１２ｃ  ボルト孔
１３  第二締結部材
１３ａ  ボルト
１３ｂ  ナット
１４  第二固定部
１４ａ  ボルト孔
１５  球面台座
１６  上側座金
１６ａ  第一曲面部
１７  下側座金
１７ａ  第二曲面部
３０  球面状支持部材
３１  球面台座
３２  第一固定部
３２ａ  凹状曲面部
３２ｂ  凸状曲面部
３２ｃ  ボルト孔
３３  第二固定部
３３ａ  ボルト孔
３４  立ち上がり部
【図１】
2017017835.tif 000003
【図２】
2017017835.tif 000004
【図３】
2017017835.tif 000005
【図４】
2017017835.tif 000006
【図５】
2017017835.tif 000007
【図６】
2017017835.tif 000008
【図７】
2017017835.tif 000009
【図８】
2017017835.tif 000010